(57)【要約】【課題】球状あるいは粒状菓子に用いられる振出口付容器において、簡便な操作により振出口が開閉でき、しかも容器としての使用後には紙製玩具として利用できることにより、廃棄に至るサイクルを延長することで資源保護にも寄与する振出口付容器を提供する。【解決手段】板紙等シート状部材で形成される前後端部を閉塞され一個の振出口が穿設された筒状胴部を持つ容器本体と、該容器本体内に内挿されかつ前後に摺動することで前記振出口を開閉する摺動体とで構成される振出口付容器で、容器本体の筒状胴部には一部に操作用開口部を穿設するとともに少なくとも１個の連結片係止切込が刻設され、かつ後端部の一部を連結片が通過する構造とし、前記摺動板の一部延長上に連結片を連設するとともに該連結片の端部を係止形状としたことを特徴とする。【選択図】　　　　図４
2004051154.tif 000002
【特許請求の範囲】
【請求項１】
板紙等シート状部材で形成される前後端部を閉塞され一個の振出口が穿設された筒状胴部を持つ容器本体と、該容器本体内に内挿されかつ前後に摺動することで前記振出口を開閉する摺動体とで構成される振出口付容器において、前記摺動体の一部延長上に連結片を連設するとともに該連結片の端部に係止用切込を設け、前記容器本体の筒状胴部には一部に操作用開口部を穿設するとともに少なくとも１個の連結片係止切込が刻設され、かつ後端部の一部を連結片が通過する構造としたことを特徴とする振出口付容器。
【請求項２】
前記容器本体が正面板、背面板、天面板、底面板および前部蓋板、後部蓋板からなる直方体で、かつ前記摺動体が正面壁、底面壁、背面壁と連接したコ字状枠体であり、該コ字状枠体の一部に操作用突起を設けたことを特徴とする請求項１記載の振出口付容器。
【請求項３】
前記容器本体の天面板前後両端辺を湾曲した形状と成したことを特徴とする請求項１または２記載の振出口付容器。
【請求項４】
前記容器本体の天面板前端辺を傾斜した形状とし後端辺を湾曲した形状と成したことを特徴とする請求項１または２記載の振出口付容器。
【発明の詳細な説明】
【０００１】
【発明の属する技術分野】
本発明は、球状あるいは粒状菓子に用いられる振出口付容器で、簡便な操作により振出口が開閉でき、しかも使用後紙製玩具として利用できる容器に関するものである。
【０００２】
【従来の技術】
従来、チョコボールや粒状ラムネ菓子など球状あるいは粒状の菓子は、カートンの一部に開口を設けたり、部分的に嘴状の振出構造を設けた、いわゆる振出口付カートンに充填され、適量排出できる包装容器として使用されていた。またこれらカートンには例えばマンガやアニメーションのキャラクターが描かれていたり、キャラクターの動作に合わせた開口方法など、幼児や少年の興趣を誘うよう意匠的、構造的にも工夫されたものが提供されている。
【０００３】
振出口付カートンのうち、振出口の開口と取り出し操作に関して、実公昭４５−３３０９４号に開示された技術の中で、外函の表面部に設けられた窓を、内側に収納された窓枠を摺動することにより開閉し収納商品を取り出すことを可能としたものが示されている。
【０００４】
また実公昭５６−２３２０３号公報に開示された技術では、二重カートンの箱体Ａ、Ｂを列車形に成形し、分離した後各周面構成板の２片に設けた連結片の切込を利用して多数連結し、児童の遊び具として利用できるようにしたものが示されている。
【０００５】
菓子製品自体の美味しさ、形状の面白さ、前記包装容器の形態的・機能的な面白さ、また添付景品いわゆるオマケ商品の面白さなど多様な要素によるが、子供向けの菓子は繰り返し購入されることが多く、これはとりもなおさず、その包装容器も大量に消費されることである。飲食に利用された後、包装容器は不要物として廃棄される事になり、廃棄量が大量となった場合、資源保護の面から問題であった。
【０００６】
【発明が解決しようとする課題】
本発明は、球状あるいは粒状菓子に用いられる振出口付カートンにおいて、簡便な操作により振出口が開閉でき、しかも容器としての使用後には紙製玩具として利用できることにより、廃棄に至るサイクルを延長することで資源保護にも寄与する振出口付容器を提供しようとするものである。
【０００７】
【課題を解決するための手段】
上述した課題解決のために、請求項１の発明は、板紙等シート状部材で形成される前後端部を閉塞され一個の振出口が穿設された筒状胴部を持つ容器本体と、該容器本体内に内挿されかつ前後に摺動することで前記振出口を開閉する摺動体とで構成される振出口付容器において、前記摺動体の一部延長上に連結片を連設するとともに該連結片の端部に係止用切込を設け、前記容器本体の筒状胴部には一部に操作用開口部を穿設するとともに少なくとも１個の連結片係止切込が刻設され、かつ後端部の一部を連結片が通過する構造としたことにより、簡便な操作で内容商品を振り出すことが出来るとともに、容器としての使用後これを複数個集めた場合、連結させることで列車などの乗り物玩具として遊べることを特徴とする振出口付容器である。
【０００８】
また、請求項２記載の発明は、前記容器本体が正面板、背面板、天面板、底面板および前部蓋板、後部蓋板からなる直方体で、かつ前記摺動体が正面壁、底面壁、背面壁と連接したコ字状枠体であり、該コ字状枠体の一部に操作用突起を設けたことにより、前記容器本体に対して前記摺動体の摺動操作が容易となることを特徴とする請求項１記載の振出口付容器である。
【０００９】
請求項３記載の発明は、前記容器本体の天面板前後両端辺を湾曲した形状と成したことを特徴とする請求項１または２記載の振出口付容器である。
【００１０】
請求項４記載の発明は、前記容器本体の天面板前端辺を傾斜した形状とし後端辺を湾曲した形状と成したことを特徴とする請求項１または２記載の振出口付容器である。
【００１１】
請求項３または請求項４記載の振出口付容器とすることにより、鉄道列車、バス、乗用車等の外観形状に類似した形状とすることができる。
【００１２】
【発明の実施の形態】
以下本発明を、図面を参照しながら詳述する。図１（Ａ）は本発明にかかる振出口付容器の、第１の実施形態のうち、容器本体を示す展開平面図。図１（Ｂ）は同じくコ字状枠体を示す展開平面図。図２（Ａ）はその組立完成状態を示す斜視図。図２（Ｂ）は底面方向から見た斜視図。図３はその使用状態を底面方向から見た斜視図。図４（Ａ）は玩具として連結された状態を示す斜視図。図４（Ｂ）は同じく底面方向から見た斜視図。図５（Ａ）は本発明にかかる振出口付紙函の、第２の実施形態のうち、容器本体を示す展開平面図。図５（Ｂ）は同じくコ字状枠体を示す展開平面図。図６（Ａ）はその組立完成状態を示す斜視図。図６（Ｂ）は底面方向から見た斜視図。図７はその使用状態を底面方向から見た斜視図。図８（Ａ）は第１および第２の実施形態を組み合わせて連結した状態を示す斜視図。図８（Ｂ）は底面から見た斜視図である。
【００１３】
図１は本発明にかかる第１の実施形態の展開平面図で、図１（Ａ）は振出口付容器本体の展開平面図、図１（Ｂ）はコ字状枠体の展開平面図である。
図１（Ａ）の振出口付容器本体は、右から順に縦折線Ｌ１、Ｌ２、Ｌ３、Ｌ４を介して順次連設された背面板１、天面板２、正面板３、底面板４、貼着片５から胴部が構成され、前記天面板２の上下延長上には横折線を介さず前部蓋板２ａ、後部蓋板２ｂがそれぞれ連設され、さらにその延長上に横折線Ｌ９、Ｌ１０を介して差込片６、７がそれぞれ連設されている。また背面板１および正面板３の上下延長上には横折線Ｌ５、Ｌ６、Ｌ７、Ｌ８を介してそれぞれ耳片８、９、１０、１１が連設されている。該耳片８、９、１０、１１のそれぞれの端部蓋板向き突出部分は蓋板湾曲支持突起である。
【００１４】
前記正面板３の上部中央には振出口１２が穿設され、また前記縦折線Ｌ３の略中央部には操作用溝１３が穿設されている。さらに前記背面板１および正面板３の上下隅部のうち、天面板２側のそれぞれ二隅は円弧状に切り欠かれている。尚本実施形態の図中で、振出口１２は角丸の矩形で示されているが、特にこれに限定されるものではない。
前記底面板４の前後両端近傍には、外向き弧状の連結用切込１４および１５がそれぞれ刻設されており、また前記横折線Ｌ１０の略中央部には連結片通過切込１６が刻設されている。
【００１５】
図１（Ｂ）のコ字状枠体は、右から順に縦折線Ｌ２１、Ｌ２２を介して順次連設された正面壁２１、底面壁２２、背面壁２３でコ字状枠が構成され、底面壁２２の下部延長上には該底面壁２２より幅狭小の連結片２４が連設され、該連結片２４の下端には鉤状切込２６が刻設されている。また前記正面壁２１の上端角部は振出口対応切欠部２５を有し、前記縦折線Ｌ２１の略中央部には操作用突起２７が底面壁２２の方向に突出するよう刻設されている。
【００１６】
前記背面壁２３の上端角部は、前記背面板１の円弧状切り欠き隅部に対応して、円弧状に切り欠かれている。また、前記底面壁２２の上部は前記差込片６と重合しないよう切り欠かれている。
【００１７】
本発明の振出口付容器の組立包装にあたっては、あらかじめ背面板１、天面板２、正面板３、底面板４が、貼着片５を用いて貼着接合された筒状胴部を起立させ、耳片８、９を折り曲げたのち、前部蓋板２ａを折り曲げながら差込片６を差し込んで、筒状胴部の一方の端部を閉塞し、次に前記コ字状枠体の正面壁２１が前記振出口付容器本体の正面板３の内壁に当接するようにコ字状枠体を挿入した後、製品充填を行い、耳片１０、１１を折り曲げたのち、後部蓋板２ｂを折り曲げながら差込片７を差し込むことにより筒状胴部の他方の端部を閉塞することで、図２（Ａ）および（Ｂ）に示すごとく組立包装が完成する。なお、この状態において、前記振出口１２は、挿入された前記コ字状枠体の正面壁２１によって閉鎖されている。前述のように本発明にかかる容器本体の形状を、第１の実施形態では天面の前後両端辺を面取りした略直方体形状としたが、これに限定されるものではなく、筒状胴部断面形状は、紡錘形、菱形、太鼓形、六角形、八角形等とすることも可能である。また、前後端部およびその近傍を含む閉塞による形状についても適宜設計が可能である。
【００１８】
図３に示すように、本発明の振出口付容器の使用にあたっては、前記振出口付容器本体の操作用溝１３から少し突出した前記操作用突起２７を容器後方方向へ操作することで、前記コ字状枠体が摺動し、前記振出口１２が開口し、製品の振り出しが可能となる。同様に該操作用突起２７を容器前方方向へ操作することで、該振出口１２は閉鎖する。なお、開口操作時、前記コ字状枠体の底面壁２２の延長上に連設された連結片２４は、前記連結片通過切込１６を通過して、容器後方外部に摺動突出する。尚、本発明の摺動操作部分を、第１の実施形態では容器本体に穿設した操作用溝から突出した操作用突起を操作することとしたが、これに限定されるものではなく、例えば前記操作用突起を無くしても指での摩擦による摺動操作が可能であるし、同様に前記操作用溝を底面板の中央部分に穿設して指での摩擦による摺動操作が可能である。
また、前述のように本発明にかかる容器内摺動体を、第１の実施形態ではコ字状枠体としたが、これに限定されるものではなく、前記筒状胴部断面形状の変化に伴い、湾曲状、略Ｌ字状、旧八字状等とすることが可能である。
【００１９】
本実施形態では、図２（Ａ）に示すように、天面板２の前後端辺が湾曲する形状となるため、鉄道列車における動力車または客車、あるいはバス等の模型形状として意匠を施すことで、包装容器としての使用後、玩具として使用できる。さらに図３に示す、開口操作状態で容器後方に突出した連結片２４を、別個に用意した同じ実施形態容器の底面板４の前後両端近傍に刻設された外向き弧状の連結用切込１４あるいは１５に差込み、該連結片２４の端部鉤状切込２６で係止すれば、図４（Ｂ）に示す連結状態となり、図４（Ａ）に示すような連結された列車玩具として使用できる。
【００２０】
図５は本発明にかかる第２の実施形態の展開平面図で、図５（Ａ）は第２の実施形態における振出口付容器本体の展開平面図、図５（Ｂ）は第２の実施形態におけるコ字状枠体の展開平面図である。なお、第１の実施形態と共通する部分には同一の符号を付し、その同一部分の説明は省略するものとする。
図５（Ａ）の振出口付容器本体は、右から順に縦折線Ｌ１、Ｌ２、Ｌ３、Ｌ４を介して順次連設された背面板１、天面板２、正面板３、底面板４、貼着片５から胴部が構成され、前記天面板２の上方延長上には横折線Ｌ１１、Ｌ１２、Ｌ９を介して前部傾斜蓋板２ａ´、前部垂直蓋板２ａ´´、差込片６が連設され、該天面板２の下方延長上には横折線を介さず後部蓋板２ｂが連設され、さらにその延長上に横折線Ｌ１０を介して差込片７が連設されている。また背面板１および正面板３の下方延長上には横折線Ｌ７、Ｌ８を介してそれぞれ耳片１０、１１が連設されおり、該耳片１０、１１のそれぞれの端部蓋板向き突出部分は蓋板部湾曲支持突起である。背面板１の上方延長上は前記横折線Ｌ１１の一方の側端から容器上端縁に伸びる傾斜折線Ｌ５´およびそれに連続する横折線Ｌ５を介してそれぞれ耳片８´、８が連設され、同様に正面板３の上方延長上は前記横折線Ｌ１１の一方の側端から容器上端縁に伸びる傾斜折線Ｌ６´およびそれに連続する横折線Ｌ６を介してそれぞれ耳片９´、９が連設されている。
【００２１】
前記正面板３の上部中央には振出口１２が穿設され、また前記縦折線Ｌ３の略中央部には操作用溝１３が穿設されている。さらに前記背面板１および正面板３の下隅部のうち、天面板２側のそれぞれ隅部は円弧状に切り欠かれている。
前記底面板４の前後両端近傍には、外向き弧状の連結用切込１４および１５がそれぞれ刻設されており、また前記横折線Ｌ１０の略中央部には連結片通過切込１６が刻設されている。
【００２２】
図５（Ｂ）のコ字状枠体は、右から順に縦折線Ｌ２１、Ｌ２２を介して順次連設された正面壁２１、底面壁２２、背面壁２３でコ字状枠が構成され、底面壁２２の下部延長上には該底面壁より幅狭小の連結片２４が連設され、該連結片２４の下端には鉤状切込２６が刻設されている。また前記正面壁２１の上端角部は前記正面板の傾斜折線Ｌ６´ならびに前記振出口１２に対応した振出口対応切欠部２５を有し、前記縦折線Ｌ２１の略中央部には操作用突起２７が底面壁２２の方向に突出するよう刻設されている。
【００２３】
前記背面壁２３の上端角部は、前記背面板１の傾斜折線Ｌ５´に対応して、傾斜して切り欠かれている。また、前記底面壁２０の上部は前記差込片６と重合しないよう切り欠かれている。
【００２４】
本発明の振出口付容器の組立包装にあたっては、あらかじめ背面板１、天面板２、正面板３、底面板４が、貼着片５を用いて貼着接合された筒状胴部を起立させ、耳片８、８´、９、９´を折り曲げたのち、前部傾斜蓋板２ａ´、前部垂直蓋板２ａ´´を折り曲げながら差込片６を差し込んで、筒状胴部の前端部を閉塞し、次に前記コ字状枠体の正面壁２１が前記振出口付容器本体の正面板３の内壁に当接するようにコ字状枠体を挿入した後、製品充填を行い、耳片１０、１１を折り曲げたのち、後部蓋板２ｂを折り曲げながら差込片７を差し込むことにより筒状胴部の後端部を閉塞することで、図６（Ａ）および（Ｂ）に示すごとく組立包装が完成する。なお、この状態において、前記振出口１２は、挿入された前記コ字状枠体の正面壁２１によって閉鎖されている。
【００２５】
本実施形態の使用については、第１の実施形態と同様であるので、説明を省略する。
【００２６】
本実施形態では、図６（Ａ）に示すように、天面板２の前端辺が傾斜する形状となるため、鉄道列車における高速動力車あるいは乗用車等の模型形状として意匠を施すことで、包装容器としての使用後、玩具として使用できる。
開口操作状態で容器後方に突出した連結片２４を、別に用意した第１の実施形態容器の、底面板４の前後両端近傍に刻設された外向き弧状の連結用切込１４あるいは１５に差込み、該連結片２４の端部鉤状切込２６で係止するとともに、さらに別に用意した本実施形態容器を、前後逆にして連結すれば、図８（Ｂ）に示す連結状態となり、図８（Ａ）に示すように連結された高速列車玩具として使用できる。前述したように連結用切込は底面板の前後両端近傍に設けられているため、連結方向は前後自由に変えることが出来る。
【００２７】
【発明の効果】
本発明の振出口付容器は、以上のような構成を持つことで、簡便な操作で内容商品を振り出すことが出来る振出口付容器であり、しかも容器としての使用後これを複数個集めた場合、連結させることで列車などの乗り物玩具として遊ぶことが出来る効果を有する。
【００２８】
容器としての使用後に玩具として使用できることは、容器自体の持つ廃棄に至るサイクルを延長することとなり、結果的に資源利用時間が増大することで資源保護の効果を有する。
【図面の簡単な説明】
【図１】本発明の、第１の実施形態の展開平面図である。
【図２】同第１の実施形態の組立完成状態を示す斜視図である。
【図３】同第１の実施形態の使用状態を示す斜視図である。
【図４】同第１の実施形態の玩具として連結された状態を示す斜視図。
【図５】本発明の、第２の実施形態の展開平面図である。
【図６】同第２の実施形態の組立完成状態を示す斜視図である。
【図７】同第２の実施形態の使用状態を示す斜視図である。
【図８】第１および第２の実施形態を組み合わせて玩具として連結された状態を示す斜視図。
【符号の説明】
１　　　　　　　背面板
２　　　　　　　天面板
２ａ　　　　　　前部蓋板
２ｂ　　　　　　後部蓋板
２ａ´　　　　　前部傾斜蓋板
２ａ´´　　　　前部垂直蓋板
３　　　　　　　正面板
４　　　　　　　底面板
５　　　　　　　貼着片
６、７　差込片
８、８´、９、９´、１０、１１　　　耳片
１２　　　　　　振出口
１３　　　　　　操作用溝
１４、１５　　　連結用切込
１６　　　　　　連結片通過切込
２１　　　　　　正面壁
２２　　　　　　底面壁
２３　　　　　　背面壁
２４　　　　　　連結片
２５　　　　　　振出口対応切欠部
２６　　　　　　鉤状切込
２７　　　　　　操作用突起
Ｌ１〜Ｌ１２　　折線
Ｌ２１〜Ｌ２３　折線
【図１】
2004051154.tif 000003
【図２】
2004051154.tif 000004
【図３】
2004051154.tif 000005
【図４】
2004051154.tif 000006
【図５】
2004051154.tif 000007
【図６】
2004051154.tif 000008
【図７】
2004051154.tif 000009
【図８】
2004051154.tif 000010